【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
電子デバイスであって、
リバーシブルコネクタに接続するための外部コネクタの向きに従って、前記リバーシブルコネクタの第１のコネクタ接点の組か、又は前記リバーシブルコネクタの第２のコネクタ接点の組のいずれかを電気配線に可逆的に接続するために、前記電気配線を前記リバーシブルコネクタの接点に結合するように構成された複数のスイッチと、
前記第１のコネクタ接点の組のうちの少なくとも１つに結合された第１のイネーブル回路、及び前記第２のコネクタ接点の組のうちの少なくとも１つに結合された第２のイネーブル回路と、を含み、
前記第１のイネーブル回路は、前記第１のコネクタ接点の組のうちの前記少なくとも１つで受信した信号のフィーチャの存在に応答して、前記複数のスイッチのうちの第１のスイッチへの第１のイネーブル信号を生成するように構成され、前記第２のイネーブル回路は、前記第２のコネクタ接点の組のうちの前記少なくとも１つで受信した信号のフィーチャの存在に応答して、前記複数のスイッチのうちの第２のスイッチへの第２のイネーブル信号を生成するように構成され、
前記第１及び前記第２のスイッチは、前記第１及び前記第２のイネーブル回路のいずれによっても前記第１及び前記第２のイネーブル信号のいずれも生成されない場合、コネクタ接点の両方の組と前記電気配線との間で接触がない切断状態になり、
前記第１のスイッチは、前記第１のイネーブル信号に応答して、前記第１のコネクタ接点の組が前記電気配線に結合される接続状態に切り替わるように構成され、
前記第２のスイッチは、前記第２のイネーブル信号に応答して、前記第２のコネクタ接点の組が前記電気配線に結合される接続状態に切り替わるように構成される、電子デバイス。
【請求項２】
前記第１及び前記第２の接点のうちの前記少なくとも１つで受信した前記信号の前記フィーチャは、前記受信した信号における直流成分の存在である、請求項１に記載の電子デバイス。
【請求項３】
前記第１及び前記第２のイネーブル回路のうちの少なくとも一方は、ＤＣフィルタを備える、請求項２に記載の電子デバイス。
【請求項４】
前記第１及び前記第２のイネーブル回路のうちの少なくとも一方は、前記受信した信号を基準信号と比較するように構成され、且つ、前記受信した信号が前記基準信号と一致する場合に前記イネーブル信号を生成するように構成された、比較器を備える、請求項１に記載の電子デバイス。
【請求項５】
前記リバーシブルコネクタはUniversal Serial Bus Type-Cコネクタである、請求項１〜４のいずれか一項に記載の電子デバイス。
【請求項６】
前記信号はEthernet伝送信号である、請求項１〜５のいずれか一項に記載の電子デバイス。
【請求項７】
リバーシブルコネクタに接続するための外部コネクタの向きに従って、前記リバーシブルコネクタの第１のコネクタ接点の組か、又は前記リバーシブルコネクタの第２のコネクタ接点の組のいずれかを電気配線に可逆的に接続するために、デバイスの前記電気配線を前記デバイスの前記リバーシブルコネクタに結合する方法であって、
前記第１のコネクタ接点の組のうちの少なくとも１つに印加される信号のフィーチャの存在の第１の検出、及び前記第２のコネクタ接点の組のうちの少なくとも１つに印加される信号の存在の第２の検出と、
前記第１の検出に応答して第１のイネーブル信号を生成すること、及び前記第２の検出に応答して第２のイネーブル信号を生成することと、
前記第１のイネーブル信号に応答して、第１のスイッチを、前記第１のコネクタ接点の組の間で接触がない切断位置から、前記第１のコネクタ接点の組と前記電気配線との間で接触がある接続位置に設定すること、及び、前記第２のイネーブル信号に応答して、第２のスイッチを、前記第２のコネクタ接点の組の間で接触がない切断位置から、前記第２のコネクタ接点の組と前記電気配線との間で接触がある接続位置に設定することと、を含む方法。
【請求項８】
前記受信した信号のフィーチャの存在の前記検出は、前記受信した信号中の直流成分の存在の検出である、請求項７に記載の方法。
【請求項９】
前記受信した信号中の直流成分の前記存在の前記検出は、前記受信した信号からの前記直流成分のフィルタリングを含む、請求項８に記載の方法。
【請求項１０】
前記受信した信号のフィーチャの存在の前記検出は、前記受信した信号と基準信号との比較に基づく、請求項７に記載の方法。
【手続補正２】
【補正対象書類名】明細書
【補正対象項目名】００４８
【補正方法】変更
【補正の内容】
【００４８】
コンピュータ可読記憶媒体は、１つ又は複数のコンピュータ可読媒体に組み入れられ、且つコンピュータによって実行可能な組み込まれたコンピュータ可読プログラムコードを有する、コンピュータ可読プログラム製品の形式をとることができる。本明細書で使用されるようなコンピュータ可読記憶媒体は、そこに情報を記憶する固有の能力、並びにそこからの情報の検索を提供する固有の能力を与えられた非一時的な記憶媒体と考えられる。コンピュータ可読記憶媒体は、例えば、これらに限定するものではないが、電子の、磁気の、光学式の、電磁気の、赤外線の、若しくは半導体のシステム、装置、若しくはデバイス、又は上記の任意の適切な組み合わせとすることができる。当業者であれば容易に理解するように、以下は、本発明の原理を適用することができるコンピュータ可読記憶媒体のより具体的な例を提供するが、これらは単に例示的なものであり、網羅的な列挙ではないことを理解されたい：ハードディスク、読み出し専用メモリ（ＲＯＭ）、消去可能ＰＲＯＭ（ＥＰＲＯＭ又はフラッシュメモリ）、携帯型コンパクトディスク読み出し専用メモリ（ＣＤ−ＲＯＭ）、光記憶装置、磁気記憶装置、又は上記の任意の適切な組み合わせ。
［付記１］
電子デバイスであって、
リバーシブルコネクタに接続するための外部コネクタの向きに従って、前記リバーシブルコネクタの第１のコネクタ接点の組（２００Ａ）か、又は前記リバーシブルコネクタの第２のコネクタ接点の組（２００Ｂ）のいずれかを電気配線に可逆的に接続するために、前記電気配線を前記リバーシブルコネクタ（２００）の接点に結合するように構成された複数のスイッチ（２０２、２１２）と、
前記第１のコネクタ接点の組のうちの少なくとも１つに結合された第１のイネーブル回路（２０４〜２０５）、及び前記第２のコネクタ接点の組のうちの少なくとも１つに結合された第２のイネーブル回路（４０４〜４０５）と、を含み、
前記第１のイネーブル回路は、前記第１のコネクタ接点の組のうちの前記少なくとも１つで受信した信号のフィーチャの存在に応答して、前記複数のスイッチのうちの第１のスイッチ（２０２）への第１のイネーブル信号（２０３）を生成するように構成され、前記第２のイネーブル回路は、前記第２のコネクタ接点の組のうちの前記少なくとも１つで受信した信号のフィーチャの存在に応答して、前記複数のスイッチのうちの第２のスイッチ（２１２）への第２のイネーブル信号（２１３）を生成するように構成され、
前記第１及び前記第２のスイッチは、前記第１及び前記第２のイネーブル回路のいずれによっても前記第１及び前記第２のイネーブル信号のいずれも生成されない場合、コネクタ接点の両方の組と前記電気配線との間で接触がない切断状態になり、
前記第１のスイッチは、前記第１のイネーブル信号に応答して、前記第１のコネクタ接点の組が前記電気配線に結合される接続状態に切り替わるように構成され、
前記第２のスイッチは、前記第２のイネーブル信号に応答して、前記第２のコネクタ接点の組が前記電気配線に結合される接続状態に切り替わるように構成される、電子デバイス。
［付記２］
前記第１及び前記第２の接点のうちの前記少なくとも１つで受信した前記信号の前記フィーチャは、前記受信した信号における直流成分の存在である、付記１に記載の電子デバイス。
［付記３］
前記第１及び前記第２のイネーブル回路のうちの少なくとも一方は、ＤＣフィルタを備える、付記２に記載の電子デバイス。
［付記４］
前記第１及び前記第２のイネーブル回路のうちの少なくとも一方は、前記受信した信号を基準信号と比較するように構成され、且つ、前記受信した信号が前記基準信号と一致する場合に前記イネーブル信号を生成するように構成された、比較器を備える、付記１に記載の電子デバイス。
［付記５］
前記リバーシブルコネクタはUniversal Serial Bus Type-Cコネクタである、付記１〜４のいずれか一項に記載の電子デバイス。
［付記６］
前記信号はEthernet伝送信号である、付記１〜５のいずれか一項に記載の電子デバイス。
［付記７］
リバーシブルコネクタに接続するための外部コネクタの向きに従って、前記リバーシブルコネクタの第１のコネクタ接点の組（２００Ａ）か、又は前記リバーシブルコネクタの第２のコネクタ接点の組（２００Ｂ）のいずれかを電気配線に可逆的に接続するために、デバイスの前記電気配線を前記デバイスの前記リバーシブルコネクタ（２００）に結合する方法であって、
前記第１のコネクタ接点の組のうちの少なくとも１つに印加される信号のフィーチャの存在の第１の検出（７０１ａ）、及び前記第２のコネクタ接点の組のうちの少なくとも１つに印加される信号の存在の第２の検出（７０１ｂ）と、
前記第１の検出に応答して第１のイネーブル信号を生成すること（７０２ａ）、及び前記第２の検出に応答して第２のイネーブル信号を生成すること（７０２ｂ）と、
前記第１のイネーブル信号に応答して、第１のスイッチを、前記第１のコネクタ接点の組の間で接触がない切断位置から、前記第１のコネクタ接点の組と前記電気配線との間で接触がある接続位置に設定すること（７０５ａ）、及び、前記第２のイネーブル信号に応答して、第２のスイッチを、前記第２のコネクタ接点の組の間で接触がない切断位置から、前記第２のコネクタ接点の組と前記電気配線との間で接触がある接続位置に設定すること（７０５ｂ）と、を含む方法。
［付記８］
前記受信した信号のフィーチャの存在の前記検出は、前記受信した信号中の直流成分の存在の検出である、付記７に記載の方法。
［付記９］
前記受信した信号中の直流成分の前記存在の前記検出は、前記受信した信号からの前記直流成分のフィルタリングを含む、付記８に記載の方法。
［付記１０］
前記受信した信号のフィーチャの存在の前記検出は、前記受信した信号と基準信号との比較に基づく、付記７に記載の方法。